(57)【特許請求の範囲】
【請求項１】
車台（１０）の前部から後部にかけて、キャビン（２０）、薬液タンク（２５）、エンジンルーム（３０）、及び送風ファン（４０）が順次設けられるとともに、前記キャビン（２０）用の空調機（５０、６０）を備え、前記薬液タンク（２５）の前部側に、前面及び下面が開口（２７ａ、２７ｂ）した凹所（２７）が設けられ、この凹所（２７）内に前記空調機の室外熱交換ユニット（５０）が配設されるスピードスプレーヤであって、
前記室外熱交換ユニット（５０）は、室外コンデンサ（５２）と、室外ファン（５４）と、からなり、前記室外ファン（５４）により熱交換用の空気（Ａ）を前記凹所（２７）の前記下面開口（２７ｂ）及び前記キャビン（２０）と前記薬液タンク（２５）との間に形成された隙間（Ｓ）を介して流通させ、
前記隙間（Ｓ）を介して流通した前記熱交換用の空気（Ａ）が、更に上昇して前記キャビン（２０）のリヤウインド（１０１）に向けて放出され、噴霧薬剤等の付着を防止するように構成されていることを特徴とするスピードスプレーヤ。
【請求項２】
前記室外熱交換ユニット（５０）は、前記車台（１０）に取付保持部材（５７、５７）を介して取付保持されていることを特徴とする請求項１に記載のスピードスプレーヤ。
【請求項３】
前記キャビン（２０）の後壁部（２４）における前記タンク前面開口（２７ａ）に対向する部位に形成された開口部（７１）に、任意に開閉可能なメンテナンスハッチ（７２）が設けられていることを特徴とする請求項１又は２に記載のスピードスプレーヤ。
【発明の詳細な説明】
【０００１】
【発明の属する技術分野】
本発明は、キャビン、薬液タンク、エンジンルーム、及び送風ファンが、順次、車台の前部から後部にかけて設けられるとともに、前記キャビン用の空調機を備えたスピードスプレーヤに関する。
【０００２】
【従来の技術】
一般に、スピードスプレーヤは、車体に設置された薬液タンク内の薬液を、ポンプで車体後部に配設されたノズルに圧送し、そのノズルから外部に向けて吹き出される薬液を、車体後部に配設された送風ファンから外部に向けて吹き出される空気流により拡散し、もって、果樹園等の圃場において走行しながら、広域に渡って効率的に散布作業を行うものであるが、このスピードスプレーヤのうち、キャビンを備えたものの一例を図３に示す。
【０００３】
図示のスピードスプレーヤ１’は、車台１０の前部側及び後部側に、それぞれ左右一対の前輪１２、１２及び後輪１４、１４が配設され、前記車台１０の最前部に、運転席２１やステアリングハンドル２２等が配設されたキャビン２０が設けられている。該キャビン２０の後方側には、横倒し半円筒状の薬液タンク２５’が設けられ、この薬液タンク２５’の直後に、空気流通口３２、３２が形成されたエンジンルーム３０が形成され、該エンジンルーム３０内に、走行用及び送風ファン駆動用とを兼ねるディーゼル式等の内燃エンジン（図示省略）が収容されている。
【０００４】
前記エンジンルーム３０の後方には、円筒状の風胴４２や吐風口４４を有する軸流送風ファン４０が配され、前記吐風口４４には、前記風胴４２の周方向に沿って、所要数の薬液噴霧ノズル４５、４５、…が配在されている。
前記キャビン２０における前記運転席２１の左横には、図示はされていないが、前記ノズル４５に薬液を圧送供給する薬液供給ポンプが配され、前記ノズル４５から外部に噴霧された薬液が、前記吐風口４４から外部に向けて吹き出される前記送風ファン４０からの空気流により拡散され、それにより、果樹園等において前記ステアリングハンドル２２を操作しつつ走行しながら、薬液の散布作業を行うことができるようになっている。
【０００５】
このような構成の、キャビン２０が設けられたスピードスプレーヤ１’においては、前記キャビン２０内の空調並びにフロントウィンド２３の曇り除去等のため、空調機（冷房用及び冷暖房用の両方を含む）の装備が不可欠である。該空調機は、通常、室内熱交換ユニットと、室外熱交換ユニットと、冷媒圧縮用のコンプレッサと、それらを接続する配管系と、から構成されるが、前記スピードスプレーヤ１’に空調機を装備する場合、前記キャビン２０内に室内熱交換ユニット６０を配置し、前記エンジンルーム３０内に冷媒圧縮用コンプレッサ７０を配置すればよいが、前記室外熱交換ユニットを何処に配置するかが問題となる。
【０００６】
従来、前記の如きスピードスプレーヤ１’においては、図３に一点鎖線で示される如くに、室外熱交換ユニット５０’を前記エンジンルーム３０内に配置したり、あるいは、図３に二点鎖線で示される如くに、室外熱交換ユニット５０’’を前記薬液タンク２５’の横（外側）に配置することが、提案ないし実用に供されている。
【０００７】
また、前記キャビン２０は、通常、ガラス・樹脂パネル・鋼製骨格などで形成され運転者を薬剤被曝・転倒事故等から保護するフルキャビンの装備とされており、前記運転者は、周囲の四面に配置された前記フロントウィンド２３を含むガラスウインド（サイドウインド、リヤウインド）越しに周囲の状況を透かし見ながら操縦するようになっている。その内、前記フロントウィンド２３には、ワイパ２３ａやウォッシャ装置（図示省略）等が配備されており、噴霧薬剤等で前記フロントウィンド２３が汚れた場合には、前記ワイパ２３ａやウォッシャ装置等によって払拭するようになっている。
【０００８】
【発明が解決しようとする課題】
しかしながら、前記室外熱交換ユニットを前記エンジンルームに配置することは、特に小型スピードプレーヤの場合は、その設置スペースを確保することが難しいことに加えて、該室外熱交換ユニット（コンデンサ）と前記エンジンルーム内に配置されているエンジン冷却用ラジエータとの相互作用により、前記内燃エンジンのヒートバランスが崩れ、エンジン冷却性能が低下する等の不具合が発生するおそれがあり、また、前記室外熱交換ユニットを前記薬液タンクの横（外側）に配置すると、メンテナンス性は良いが、該室外熱交換ユニットが風雨や噴霧薬液に曝されるとともに、果樹の枝等が衝接することになるため、故障が発生しやすくなる等の問題があった。
【０００９】
また、前記のように、前記キャビン２０の前記フロントウィンド２３には、前記ワイパ２３ａやウォッシャ装置（図示省略）等が配備されているが、前記キャビン２０のリヤウインドには、通常、ワイパやウォッシャ装置等の汚れ付着防止の策については、特に講じられていなかったので、噴霧薬剤等が付着して汚れた場合には、運転者が前記キャビン２０の外に出て、一々手で前記リヤウインドのガラス等を拭く作業を行う必要があり、該作業は面倒であると共に、噴霧作業の効率を悪化させてしまっていた。
【００１０】
本発明は、上述した如くの従来の問題を解消すべくなされたもので、その目的とするところは、空調機の室外熱交換ユニットを、エンジン冷却性能等に悪影響を及ぼすことがなく、また、故障等が発生しにくく、かつ、容易にメンテナンスを行うことができるように合理的に配設してなると共に、キャビンのガラス面等の汚れを容易に払拭できるスピードスプレーヤを提供することにある。
【００１１】
【課題を解決するための手段】
前記の目的を達成すべく、本発明に係るスピードスプレーヤは、基本的には、車台の前部から後部にかけて、キャビン、薬液タンク、エンジンルーム、及び送風ファンが順次設けられるとともに、前記キャビン用の空調機を備え、前記薬液タンクの前部側に、前面及び下面が開口した凹所が設けられ、この凹所内に前記空調機の室外熱交換ユニットが配設されるスピードスプレーヤであって、前記室外熱交換ユニットは、室外コンデンサと、室外ファンと、からなり、前記室外ファンにより熱交換用の空気を前記凹所の前記下面開口及び前記キャビンと前記薬液タンクとの間に形成された隙間を介して流通させ、前記隙間を介して流通した前記熱交換用の空気が、更に上昇して前記キャビンのリヤウインドに向けて放出され、噴霧薬剤等の付着を防止するように構成されていることを特徴としている。
【００１２】
さらに好ましい態様では、前記室外熱交換ユニットは、前記車台に取付保持部材を介して取付保持される。
【００１３】
他の好ましい態様では、前記キャビンの後壁部における前記タンク前面開口に対向する部位に形成された開口部に、任意に開閉可能なメンテナンスハッチが設けられる。
【００１４】
このような構成とされた本発明に係るスピードスプレーヤの好ましい態様においては、室外熱交換ユニットが、薬液タンクの前部側に設けられた、前面及び下面が開口した凹所に配設されるので、該室外熱交換ユニットとエンジン冷却系（エンジンルーム内のラジエータ等）とが明確に隔離され、相互に悪影響を及ぼし合わない。そのため、エンジン冷却性能の低下等を招くことが回避される。また、室外熱交換ユニットは、凹所内、言い換えれば、薬液タンクとキャビンの後壁部とで包囲された部分に配置されることになるため、風雨や噴霧薬液に直接曝されることがなく、また、走行作業中に果樹の枝等が衝接することもない。そのため、故障等が発生しにくくできるとともに、前記薬液タンクとキャビンの後壁部が防護カバーの役目も果たすので、人が室外熱交換ユニット（のファン）で怪我をする等の事故も確実に防止できる。
【００１５】
また、室外熱交換ユニットを、車台に取付保持部材を介して取付保持することにより、該室外熱交換ユニットが薬液タンク及びキャビンからは独立したものとなるので、その組み込み時の便宜が図られるとともに、薬液タンクのメンテナンスや交換等の便宜も図られる。
【００１６】
さらに、前記キャビンの後壁部における前記前面開口に対向する部位に、任意に開閉可能なメンテナンスハッチを設けることで、前記室外熱交換ユニットのメンテナンスを、前記キャビンの室内側から何時でも容易に行うことができる。
上記に加え、前記室外熱交換ユニットは、前記エンジンルーム内に配設される冷媒圧縮用コンプレッサと、前記キャビンに配設される室内熱交換ユニットと、の間に配置されることになるので、配管系をシンプルに構成できるといった利点も得られる。
【００１７】
さらにまた、前記キャビンの前記リヤウインドは、室外コンデンサを通過して上方に放出される空気流によって、前記リヤウインドのガラス面に付着しようとする噴霧薬剤等の付着を防止することのできるとともに、付着した汚れが容易に払拭される。
【００１８】
【発明の実施の形態】
以下、本発明の実施の形態を図面を参照しながら説明する。
図１及び図２は、本発明に係るスピードスプレーヤの一実施形態（第一実施形態）における前半部を示す左側面図及び平面図である。
【００１９】
図示実施形態のスピードスプレーヤ１の基本構成は、前述した図３に示される従来例のスピードスプレーヤ１’と略同じであるので、図３に示されるスピードスプレーヤ１’の各部に対応する部分及び同一機能部分には同一の符号を付してそれらの重複説明を省略し、以下においては、相違点である室外熱交換ユニットの配設態様を重点的に説明する。
【００２０】
図示実施形態のスピードスプレーヤ１では、薬液タンク２５の前部側の左右方向中央部に、前面及び下面が開口した凹所２７が設けられ、この凹所２７に空調機の室外熱交換ユニット５０が配設されている。
該室外熱交換ユニット５０は、矩形枠状部を有する室外コンデンサ５２と、この室外コンデンサ５２の上側に配在された室外ファン５４と、からなり、それらを前方斜め上に向けた姿勢で、車台１０に左右一対の取付保持部材５７、５７を介して取付保持されており、前記薬液タンク２５及び前記キャビン２０に干渉することなく、独立して配設されている。
【００２１】
かかる室外熱交換ユニット５０においては、前記室外ファン５４により熱交換（放熱又は吸熱）用の空気Ａを、これに限定されるものではないが、図１の破線矢印で示される如くに、前記凹所２７の下面開口２７ｂ側から吸い込んで、前記室外コンデンサ５２を通過せしめ、前記凹所２７の前面開口２７ａを介して、前記キャビン２０の後壁部２４と前記薬液タンク２５との間に形成された隙間Ｓから外部に放出するようにされている。
また、前記キャビン２０の前記後壁部２４における前記前面開口２７ａに対向する部位に形成された開口部７１に、任意に着脱可能又は開閉可能な、前記キャビン２０側から取着されたメンテナンスハッチ７２が設けられている。
【００２２】
このような構成とされた本実施形態のスピードスプレーヤ１においては、室外熱交換ユニット５０が、薬液タンク２５の前部側に設けられた、前面及び下面が開口した凹所２７内に配設されるので、該室外熱交換ユニット５０とエンジン冷却系（前記エンジンルーム３０内のラジエータ等）とが明確に隔離され、相互に悪影響を及ぼし合わない。そのため、エンジン冷却性能の低下等を招くことが回避される。また、前記室外熱交換ユニット５０は、凹所内、言い換えれば、前記薬液タンク２５と前記キャビン２０の前記後壁部２４とで包囲された部分に配置されることになるため、風雨や噴霧薬液等に直接曝されることがなく、また、果樹の枝等が衝接することもない。そのため、故障等が発生しにくく、また、前記薬液タンク２５と前記キャビン２０の前記後壁部２４が、防護カバーの役目も果たすので、人が前記室外熱交換ユニット５０（のファン５４）に触れて怪我をする等の事故も確実に防止できる。
【００２３】
また、前記室外熱交換ユニット５０を、車台１０に取付保持部材５７、５７を介して取付保持しているので、前記室外熱交換ユニット５０が前記薬液タンク２５及び前記キャビン２０からは独立したものとなり、その組み込み時の便宜が図られるとともに、前記薬液タンク２５のメンテナンスや交換等の便宜も図られる。
【００２４】
さらに、前記キャビン２０の前記後壁部２４における前記タンク前面開口２７ａに対向する部位に、任意に開閉可能なメンテナンスハッチ７２を設けたので、前記室外熱交換ユニット５０のメンテナンスを、前記キャビン２０の室内側から何時でも容易に行うことができる。
【００２５】
上記に加え、前記室外熱交換ユニット５０は、前記エンジンルーム３０内に配設される冷媒圧縮用コンプレッサ７０と、前記キャビン２０に配設された室内熱交換ユニット６０と、の間に配置されることになるので、配管系をシンプルに構成できるといった利点も得られる。
図４及び図５は、本発明に係るスピードスプレーヤの他の実施形態（第二実施形態）における前半部を示す左側面図及び図４の矢視V-V後面図である。
【００２６】
図示実施形態のスピードスプレーヤ１００の基本構成は、前述した図１、２に示される第一実施形態のスピードスプレーヤ１と略同じであるので、図１に示されるスピードスプレーヤ１の各部に対応する部分及び同一機能部分には同一の符号を付してそれらの重複説明を省略し、以下においては、相違点であるキャビン２０のリヤウインド１０１について重点的に説明する。
【００２７】
本実施形態の前記リヤウインド１０１は、前記キャビン２０の後壁部２４に、運転者が前記スピードスプレーヤ１００の後方を広角に見ることができるように、横長矩形形状に形成されており、前記リヤウインド１０１の下方は、前記キャビン２０の前記後壁部２４と前記薬液タンク２５との間に形成される隙間Ｓが形成される構成となっているので、図４の破線矢印で示される如くに、薬液タンク２５の前部側に設けられた、前面及び下面が開口した凹所２７の下面開口２７ｂ側から空気Ａが吸い込まれた場合、該空気Ａは、室外コンデンサ５２を通過し、前記凹所２７の周縁に拡開部２７ｃを形成した前面開口２７ａを介して、前記キャビン２０の後壁部２４と前記薬液タンク２５との間に形成された前記隙間Ｓから上方に向けて、前記キャビン２０の横幅方向に広く分散して放出されることとなる。放出された前記空気は、前記リヤウインド１０１のガラス面を擦るように接触して、更に、上方に抜ける。
【００２８】
このように、前記リヤウインド１０１のガラス面を擦るように接触して空気Ａが上方に放出されることによって、前記リヤウインド１０１のガラス面は、付着している噴霧薬剤等の汚れが払拭されてきれいに清掃された面となり、運転者が前記スピードスプレーヤ１００の後方を明瞭にみることができる状態となる。
【００２９】
また、散布作業中において、散布された噴霧薬剤が、前記リヤウインド１０１のガラス面に付着しようとしても、下方から放出される空気Ａの流れによって吹き飛ばされて、付着しにくい状態となる。
以上、本発明の二つの実施形態について詳述したが、本発明は、前記実施形態に限定されるものではなく、特許請求の範囲に記載された発明の精神を逸脱しない範囲で、設計において、種々の変更ができるものである。
【００３０】
【発明の効果】
以上の説明から理解されるように、本発明に係るスピードスプレーヤは、室外熱交換ユニットが、薬液タンクの前部側に設けられた、前面及び下面が開口した凹所内に配設されるので、室外熱交換ユニットとエンジン冷却系（エンジンルーム内のラジエータ等）とが明確に隔離され、相互に悪影響を及ぼし合わない。そのため、エンジン冷却性能の低下等を招くことが回避される。また、室外熱交換ユニットは、凹所内、言い換えれば、薬液タンクとキャビンの後壁部とで包囲された部分に配置されることになるため、風雨や噴霧薬液に直接曝されることがなく、また、果樹の枝等が衝接することもない。そのため、故障等が発生しにくく、また、前記薬液タンクとキャビンの後壁部が防護カバーの役目も果たすので、人が室外熱交換ユニット（のファン）に触れて怪我をする等の事故も確実に防止できる。
【００３１】
また、室外熱交換ユニットを、車台に取付保持部材を介して取付保持することにより、該室外熱交換ユニットが、薬液タンク及びキャビンからは独立したものとなっているので、その組み込み時の便宜が図られるとともに、薬液タンクのメンテナンスや交換等の便宜も図られる。
【００３２】
さらに、前記キャビンの後壁部における前記前面開口に対向する部位に、任意に開閉可能なメンテナンスハッチを設けることで、前記室外熱交換ユニットのメンテナンスを、前記キャビンの室内側から何時でも容易に行うことができる。
【００３３】
上記に加え、前記室外熱交換ユニットは、前記エンジンルーム内に配設される冷媒圧縮用コンプレッサと、前記キャビンに配設される室内熱交換ユニットと、の間に配置されることになるので、配管系をシンプルに構成できるといった利点も得られる。
【００３４】
さらにまた、前記キャビンの前記リヤウインドは、室外コンデンサを通過して上方に放出される空気流によって、前記リヤウインドのガラス面に付着しようとする、噴霧薬剤等の付着防止と、付着した汚れ等が払拭される。
【図面の簡単な説明】
【図１】本発明に係るスピードスプレーヤの一実施形態における前半部を示す左側面図。
【図２】図１に示されるスピードスプレーヤの前半部を示す平面図。
【図３】従来のスピードスプレーヤの一例を示す全体左側面図。
【図４】本発明に係るスピードスプレーヤの他の実施形態における前半部を示す左側面図。
【図５】図４の矢視V−V後面図。
【符号の説明】
１  …スピードスプレーヤ
１０  …車台
２０  …キャビン
２４  …後壁部
２５  …薬液タンク
２７  …凹所
２７ａ…前面開口
２７ｂ…下面開口
２５  …薬液タンク
３０  …エンジンルーム
４０  …送風ファン
５０  …室外熱交換ユニット（空調機）
５２  …室外コンデンサ
５４  …室外ファン
５７  …取付保持部材
６０  …室内熱交換ユニット（空調機）
７１  …開口部
７２  …メンテナンスハッチ
１００…スピードスプレーヤ
１０１…リヤウインド
Ｓ    …隙間
Ａ      熱交換用の空気
【図１】
0003961232.tif 000002
【図２】
0003961232.tif 000003
【図３】
0003961232.tif 000004
【図４】
0003961232.tif 000005
【図５】
0003961232.tif 000006